(57)【要約】  少なくとも1つのキー位置（110）と制御および読み出し回路（120）とを含む入力装置を提供する。各キー位置（110）には、光透過窓（111）と感光デバイス（112）とが設けられている。光透過窓（111）は外光の入射に使用され、感光デバイス（112）は光透過窓（111）の後ろの光路上に配置される。その状態は入射外光の強度に対応する。制御および読み出し回路（120）は、各感光デバイス（112）をリセットおよび走査するために使用され、走査された各感光デバイス（112）の状態に応じて、対応する光透過窓（111）がブロックされているまたは遮蔽されていないことを示す。この入力装置は、光強度の変化を感知することによって入力情報を得て、従来の圧力入力を代替する。応答速度が速いとともに、指の圧力が必要ないため、指の作業強度を低下させるだけでなく、指の柔軟性の必要性を減少させる。
2019502217.tif 000002
【特許請求の範囲】
【請求項１】
入力装置であって、少なくとも1つのキー位置（key position）と、制御および読み出し回路とを備え、
各キー位置には、光透過窓と感光デバイスとが設けられ、前記光透過窓は、外光の入射のために使用され、前記感光デバイスは、前記光透過窓の後ろの光路に配置され、前記感光デバイスの状態は入射した外光の強度に対応し、
前記制御および読み出し回路は、各感光デバイスをリセットかつ走査するために用いられるとともに、走査された各感光デバイスの状態に基づいて、対応する光透過窓がブロックされている或いはブロックされていないことを示すキー信号を出力することを特徴とする入力装置。
【請求項２】
複数のキー位置を備え、
少なくとも一部のキー位置は、キーボードを形成するための規定のルールに従って配置され、或いは、
少なくとも一部のキー位置は、高密度の2次元配列で配置され、配列の頂部はスライド入力ボードを形成する平坦な全体である、請求項1に記載の入力装置。
【請求項３】
少なくとも1つのキー位置には、圧力感知デバイスが設けられ、
前記制御および読み出し回路は、対応する圧力感知デバイスがトリガされたことを示すキー信号を出力するためにも使用される、請求項1に記載の入力装置。
【請求項４】
前記圧力感知デバイスは、弾性スイッチ機構およびタッチスクリーンからなる群から選択される、請求項3に記載の入力装置。
【請求項５】
前記光透過窓はコンデンサーレンズを含む、請求項1〜4のいずれか一項に記載の入力装置。
【請求項６】
前記感光デバイスは、フォトダイオード、フォトレジスター、および光起電力デバイスからなる群から選択される、請求項1〜5のいずれか一項に記載の入力装置。
【請求項７】
前記制御および読み出し回路は、入力装置を動作状態とアイドル状態との間で切り替えるためにも使用され、
動作状態では、前記感光デバイスのリセットおよび走査が実行され、
アイドル状態では、前記感光デバイスは省電力モードで動作する、請求項1〜6のいずれか一項に記載の入力装置。
【請求項８】
前記感光デバイスは、前記入力装置または外部装置に電力を供給するためにも使用される光起電力デバイスである、請求項6に記載の入力装置。
【請求項９】
前記制御および読み出し回路は、入力装置を動作状態とアイドル状態との間に切り替えるためにも使用され、
動作状態では、光起電力デバイスのリセットおよび走査が実行され、
アイドル状態では、光起電力デバイスは電力供給モードで動作する、請求項8に記載の入力装置。
【請求項１０】
前記制御および読み出し回路は、作業状態とアイドル状態との間で自動的に切り替えるためにも使用され、
全ての感光デバイスの状態が設定された一定時間を超えて変化しない場合、アイドル状態に切り替え、いずれかの感光デバイスの状態が変化する場合、動作状態に切り替え、或いは、
前記制御および読み出し回路は、設けられたスイッチをユーザがトリガすることで生成されたスイッチング信号に基づいて動作状態とアイドル状態の切り替えを実行するためにも使用される、請求項7または9に記載の入力装置。
【請求項１１】
単一の音声信号に対応する複数のキー値のうちの1つを選択するための、または現在可能な複数の入力結果のうちの1つを選択するための音声信号を入力するための音声認識モジュールをさらに含む、請求項1〜10のいずれか一項に記載の入力装置。
【請求項１２】
前記入力装置は少なくとも2つの部分として一体的に形成され、前記少なくとも2つの部分は摺動または枢動によって接続されている、請求項1〜11のいずれか一項に記載の入力装置。
【発明の詳細な説明】
【技術分野】
【０００１】
本発明は、入力装置に関し、特に、光強度の変化を感知する入力装置に関する。
【背景技術】
【０００２】
電子製品の普及に伴い、その周辺機器としての入力装置が非常に一般的になってきている。現在、手動入力は依然として主な入力方法である。
【０００３】
キーボード、タッチスクリーン、ボタンなどの一般的な入力装置は、基本的に、圧力による状態変化によって情報入力の目的を達成する。光学マウスでさえ、通常、左右のボタンとして圧力ボタンを使用する。
【０００４】
これらの圧力ベースの手動入力方法には、応答速度が速くなく、また指の疲れを起こしやすい等の欠点がある。
【発明の概要】
【課題を解決するための手段】
【０００５】
本発明によれば、少なくとも1つのキー位置（key position）と、制御および読み出し回路とを含む入力装置を提供する。各キー位置には、外光の入射に用いられる透光窓と、透光窓の後ろの光路に配置された感光デバイスとが設けられ、感光デバイスの状態は外光の入射強度に対応する。制御および読み出し回路は、各感光デバイスをリセットおよび走査するために使用されるとともに、走査された各感光デバイスの状態に基づいて、対応する光透過窓がブロックされるまたはブロックされないことを示すキー信号を出力する。
【０００６】
本発明の入力装置は、光の強さの変化を感知することによって入力情報を得て、従来の圧力入力を代替し、応答速度はより速いとともに、指の圧力は必要とされず、指の作業強度を低下させるだけでなく、ブロック位置に移動するだけでも良い。指の柔軟性の要件を軽減させる。
【０００７】
以下、本発明の具体的な実施例について、図面を参照して詳細に説明する。
【図面の簡単な説明】
【０００８】
【図１】本発明の入力装置の構成の原理を示す概略図。
【図２】実施例1の入力装置のキー位置の配置の概略図である。
【図３】実施例2の入力装置の概略構成図である。
【図４】実施例3の入力装置の全体形状の概略図である。
【図５】本発明の力装置の他の全体形状の概略図である。
【図６】実施例4の入力装置のキー位置の配置の概略図である。
【図７】実施例5の入力装置のキー位置の配置の概略図である。
【発明を実施するための形態】
【０００９】
本発明の入力装置の構造は、図1を参照することができ、いくつかのキー位置（key position）110と、制御および読み出し回路（control and readout circuits）120とを含む。
【００１０】
各キー位置110には、光透過窓111と感光デバイス112が設けられている。
【００１１】
透過窓111は、外光の入射に使用され（図に破線の矢印で示す）、任意の形状及び配置形態を有することができる。異なるキー位置を有する透過窓は、互いに分離することができ、または一体化することができる。例えば、入力装置全体の上部は完全に透明であり、各キー位置に対応する光透過領域はキー位置の光透過窓とみなすことができる。いくつかの実施例では、光透過窓は、入力装置のマスク131の開口部または貫通穴であってもよい。他の実施形態では、光透過窓は、マスクに埋め込まれた透明材料製の窓であってもよい。好ましい実施形態として、光透過窓は、入射した外光がより良好に感光デバイスに集中されるように、コンデンサーレンズを含むことができる。
【００１２】
感光デバイス112は、光透過窓の後ろの光路上に配置され、その状態は、入射した外光の光強度に対応する。検出可能な状態が異なる入射光強度に応じて対応する変化を生じさせることができる限り、様々なタイプの感光デバイスが本発明での使用に適している可能である。例えば、フォトダイオード、フォトレジスターなどを選択することができる。感光デバイスの異なる特性によっては、状態変化の形態も異なってもよい、例えば、抵抗値の変化であってもよく、電圧値の変化などであってもよい。好ましい実施形態として、感光デバイスは、入力機能を提供するだけでなく、光エネルギーの変換および利用を実行することができるシリコン太陽電池パネルまたは薄膜太陽電池などの光起電力デバイスであってもよい。
【００１３】
制御および読み出し回路120は、各感光デバイスをリセットおよび走査するために用いられ、走査された感光デバイスの状態に基づいて、対応する光透過窓がブロックされているかまたはブロックされていないことを示すキー信号（key signal）を出力する。ブロック用の物132は、例えば、指、入力ペンなどであってもよい。
【００１４】
感光デバイスに当たる光の強度は、外光をブロックすることによって変化するため、装置自身の光源は必要でない。ブロックされている感光デバイスの状態を正確に識別するために、制御および読み出し回路は、蓄積された光の影響を排除するためにキー位置を走査する前に感光デバイスをリセットする必要がある。前記リセットとは、感光デバイスが光照射されない状態に復帰し、例えば、クリアまたはリセットされることを意味する。クリアまたはリセットのための具体的な方法は、異なる感光デバイスについて異なる可能であり、例えば、通常、信号の読み出し端にゼロ電圧または逆電圧を印加することによって実現することができる。特定のクリアまたはリセット形態は、使用される感光デバイスの特性に従って決定することができる。
【００１５】
制御および読み出し回路の走査の形態は、本発明に限定されておらず、既存のキーボードまたはタッチスクリーンの走査の形態を参照することができる。例えば、周期的走査の形態またはトリガ走査の形態が使用されてもよい。各走査において、各キー位置は、所定の時間間隔で1つずつ走査されてもよく、全てのキー位置が同時に走査されてもよい。
【００１６】
制御回路および読み出し回路に使用される、キーの状態を決定するためのロジックは、実際の応用の状況に基づいて設計することができる。例えば、パラメータ閾値を設定することができ、感光デバイスの光強度によって変化するあるパラメータ（例えば、フォトレジスターの抵抗値、フォトダイオードの電圧値等）は、設定された閾値より未満（またはより大きい）の場合、このキーはブロックされると判断され、それによって、1回の入力が生じる。他の例として、変動幅のある閾値を設定してもよく、感光デバイスの測定されたパラメータの変動幅が設定された閾値より大きい場合、このキーはブロックされると判断され、それによって、1回の入力が生じる。判断の基準となる変動幅は、変動の絶対値（例えば、前回の走査から得られたパラメータの値との差）であってもよいし）、また、変動の割合（例えば、ブロックされない場合のパラメータ値に対する変化の割合であり、ブロックされない場合のパラメータ値を連続的に更新することもできる）である。ある応用の状況では、外光強度が変化したときにキー位置の状態も正確に判定するために、後者が好ましい。また、キー位置の状態がブロックされない状態からブロックされる状態に変化したときのみ、1回の入力とみなし、キー位置の状態がブロックされる状態のままで維持する場合あるいはブロックされる状態からブロックされない状態に変化する場合は入力とみなさず、という判定ロジックを採用することも可能である。このようにして、特定のキー位置を長時間ブロックされることによって1回の入力のみが生成され、2回目の入力は、ブロック用の物を取り除いて、再度ブロックする後にのみ生成される。
【００１７】
制御回路および読み出し回路において使用される、キー信号の出力形態は、実際の応用のニーズに応じて設計されることができる。例えば、光透過窓がブロックされているかまたはブロックされていないキー位置として決定されたキー値（key value）のみを出力してもよいし、全てのキー位置の状態を示す信号をビットマップとして出力するようにしてもよい。各キー位置は物理的なキーを示し、従来のキーボードと同様に、一つの物理的なキーは複数の仮想キーの複合キーであってもよい。この区別は、あらかじめ設定された入力規則（例えば、複数のキーの組み合わせ）によって行うことができ、詳細な説明は省略する。
【００１８】
本発明の入力装置のキー位置の大きさ、配置形態、および全体構成を設計することにより、様々な異なる入力機能を実現することができる。一実施形態では、キー位置は、通常のキーボードのキーサイズとして設計され、規定のルールに従って配置されて、本発明の入力装置はキーボードとして形成することができる。識別の便宜のために、キー位置に対応する文字または記号を光透過窓に干渉しない位置に印刷または貼り付けることができる。別の実施形態では、ミリメートルレベル以下のサイズを有するキー位置を設計することができ、複数のキー位置は高密度の2次元配列で配置され、本発明の入力装置がスライディング入力ボードとして形成されるように、上部は平坦な全体として形成される。言うまでもなく、異なるキーの配置形態を、1つの入力デバイスに統合することもでき、例えばスライディング入力ボードを備えたキーボードである。
【００１９】
押圧する必要がないため、本発明の入力装置の全てのキー位置を全体として形成することができる。例えば、図1に示すように、一体的に形成された多孔板を頂部に使用することができ、透光窓に透かし彫りしたり、或いは透明な素子で閉じられたりすることができ、底部は一体プリント回路基板（PCB）またはフレキシブル回路基板（FPC）などとすることができる。これにより、感光デバイスと制御および読み出し回路が一緒に集積化する。この構造は、超薄型、防水性、防塵性に優れるという特徴を容易に持つことができる。他の実施形態では、キー位置を互いに分離することもでき、それによって、回路基板の外観は、既存のキーボードの外観にさらに似ることができ、従って、感光デバイスを搭載する回路基板を複数のブロックに分割することもできる。
【００２０】
好ましい実施形態として、本発明は既存の圧力入力装置と組み合わせることもできる。すなわち、圧力感知装置は、少なくとも1つのキー位置に配置され、この場合、制御および読み出し回路は、対応する感圧装置がトリガされたことを示すキー信号を出力するためにも使用される。使用される圧力感知装置は、弾性スイッチ機構（Elastic switch mechanism）、タッチスクリーン（touch screeen）などであってもよい。例えば、従来のキーボードのキーキャップには透明窓が設けられ、かつキーキャップの中には感光デバイスが設けられ、この場合、1つのキー位置は、「ブロックされる」および「ブロックされかつ押される」という2種類の入力状態を提供することができ、キー位置の表現力を倍にする。別の例として、本発明による入力装置は、従来のタッチスクリーン（透光性）の下に設けられてもよい。例えば、前述のスライディング入力ボードは、指が光をブロックする場合のみに感光デバイスによって反応し、指が画面にタッチする場合にタッチ画面によって応答して、1つのキー位置に2つの異なる入力が生成される。このような結合された入力構造は、より豊富な入力表現力を有するため、一つのキー位置を2つの用途に利用することができ、従って、限られたスペースの場合、キー位置を繰り返し使用し、単一の物理的なキー位置のサイズを大きくすることで、使用がより便利になるだけでなく、入力の効率も向上する
【００２１】
本発明による入力装置は、電子製品または電子製品の他の外部装置（例えば、スピーカ、マイクロホン）と一体化されていてもよいし、互いに分離されていてもよい。したがって、実際の応用に応じて、入力装置にさまざまな追加機能モジュールを構成することができる。例えば、以下のモジュールから選択された1つ以上が含まれてもよい：
【００２２】
電源モジュール：他の電力消耗のモジュールに電力を供給する。これは、蓄電型の電源モジュールとすることができる。例えば、充電式または非充電式電池、スーパーキャパシタなどである；また、外部電源回路用の電力変換器とすることもできる；また、光起電力パネル（光感受性デバイスとしての光電池パネルであってもよいし、追加の構成光電池パネであってもよい）であってもよい。
【００２３】
通信モジュール：電子製品との通信、キー信号の送信などに使用される。有線または無線の通信モジュールであってもよく、例えば、赤外線通信モジュール、公衆無線周波数帯通信モジュール、ブルートゥース（登録商標）モジュール、WiFiモジュール、WiMaxモジュール、2G/3G/4G/5G通信モジュールなどである；特に、長距離無線通信用通信モジュール、例えば、3G/4Gなどは、コンピュータキーボードのような応用では必要ないかもしれないが、ハンドヘルドキャッシュレジスター端末、モバイルクライアントサービスプラットフォームのようなリモート分散式装置が好ましく使用される。
【００２４】
追加入力モジュール：他の手段で入力情報を収集するには、用いられるモジュールである。例えば、指紋や掌紋を入力するための画像取得モジュール、音声信号を入力するための音声認識モジュールなどである。これらのモジュールの入力情報は、感光デバイスの入力情報と択一的に又は組み合わせて使用することができる。
【００２５】
記憶モジュール：入力履歴データを記録し、かつ履歴データに従って後続入力のための入力プロンプトを生成し、これらのプロンプトをスクリーンなどの他の接続された外部装置を介して表示することができる。
【００２６】
インタフェースモジュール：各種外部機器の接続に使用するためであり、シリアルインターフェース、パラレルインターフェース、USBインターフェース、メモリーカード（例えば、SDカード、TFTカード）インターフェース、外部スピーカーおよびマイクインターフェース、ネットワークケーブルインターフェースなどを含み得る。
【００２７】
以下、本発明に係る入力装置の具体的な応用形態を例示的に説明する。
【００２８】
実施例1
本発明の入力装置の一実施形態は、図2を参照することができ、多機能コンピュータキーボードである。この入力装置は、いくつかのキー位置と、制御および読み出し回路（図示せず）とを含む。その中で、光入力を用いるキー位置は3つのグループに分けられる：第1グループは、いくつかのキー位置210'からなり、サイズおよび配置形態は通常のキーボードと相当する。第2グループは、ミリメートル以下の寸法を有する多数のキー210''からなり、高密度の2次元配列として配置されて、スライディング入力ボードを形成し、スライド式マウス機能を実現するために使用できる。第3グループは、2つのキー210'''からなり、サイズは通常のキーと相当し、スライディング入力ボードの近くに配置され、左右のマウスボタンとして機能する。
【００２９】
この実施例では、以下の追加モジュールも構成されている：指紋入力に用いられる画像取得モジュール241（例えば、表面アレイ感光デバイス）であって、指紋を収集するための光源として（光感知装置の下に配置された）内蔵のLED光源242を使用するものである；音声認識モジュール（図示せず）と共に音声入力用マイク243である。
【００３０】
この実施例のキーボードは、音声入力と手動入力とを組み合わせて使用する。入力された音声信号に応じて、単一のキー信号に対応する複数のキー値のうちの1つが選択され、または、現在可能な複数の入力結果の1つを選択し、入力の利便性を大幅に向上させることができる。例えば、文字の大文字または小文字は、音声入力（例えば、上、下、左、右などの方向を表す音声）を使用して選択することができ、または、物理的なキーで表される複数の仮想キーの1つを選択し、または、提示された複数の同音異義語の1つを選択する。これは音声入力の利便性を利用し、同時に、音声自体は入力内容ではないため、音声入力におけるプライバシーの欠如を回避する。
【００３１】
この実施例のキーボードは、従来のキーボード及びマウスの代わりに使用することができ、接続線244（例えば、USB接続ケーブル）を介してデスクトップコンピュータ、ノートパソコン、タブレットコンピュータなどの様々なコンピュータと共に使用することができる。本実施例のキーボードは、超薄型で閉じたものとして容易に設計できるため、コンピュータ機器から切り離して別のコンピュータ機器で使用でき、ポータブルであるとともに、無駄を減らす。
【００３２】
キーボードは通常、表面積が大きいため、好ましい実施形態として、光入力キー位置に配置された感光デバイスは、光起電力デバイスとすることができる、例えば、光起電力パネルは、キーボードが動作していないときに光エネルギー変換器として機能する。変換されて得られた電気エネルギーは、装置内部のバッテリに保存することができ、他の外部装置によっても使用することができ、例えば、携帯電話を充電する。これに対応して、制御および読み出し回路は、キーボードを動作状態とアイドル状態との間で切り替えるためにも使用される。動作状態では、光起電力デバイスのリセットおよび走査が実行されて、ユーザの入力情報が得られる。アイドル状態では、光起電力デバイスは電力供給モードで動作する。作業状態とアイドル状態との間の切り替えは、制御回路および読み出し回路によって自動的に実行することができる。例えば、全ての感光デバイスの状態が設定時間を超えて変化しない場合には、アイドル状態に切り替わり、いずれかの感光デバイスが状態変化を生成する場合、動作状態に切り替わる。作業状態とアイドル状態との間の切り替えは、ユーザが設定されたスイッチをトリガすることで生成された信号に基づいて制御および読み出し回路によって実行することもできる。2つのスイッチング制御方法を併用することができる。感光デバイスは、光起電デバイスを使用しない場合はもちろん、入力デバイスは、動作およびアイドル状態の間に切り替えることもできが、アイドル状態では、給電モードではなく、省電力モードになる。
【００３３】
この実施例および後続の実施例における入力装置はまた、必要に応じて上述したような追加機能モジュールを選択することができ、ここでは説明しない。
【００３４】
実施例2
本発明による入力装置の別の実施形態は、図3を参照することができ、多機能携帯電話保護ケースである。本実施例では、入力装置は接続口344を介して携帯電話345に接続されている。キー位置は複合構造であり、下部は光入力キー310aであり、上部はタッチスクリーン310bである。全ての光入力キー310a上の感光デバイスは、光起電力パネルによって分割され、キーボードの形態で配置される。光起電力パネルは、制御および読み出し回路（図示せず）と、回路基板に一体化されている。
【００３５】
実施例1と同様に、光入力キー位置の光起電力パネルを入力と電源の両方に使用することができる。好ましくは、入力装置（保護ケース）の背面は光起電力パネル（図示せず）として設けられることができ、保護ケースが携帯電話に覆われているときに、携帯電話に光エネルギーを充電することができる。
【００３６】
実施例3
本発明による入力装置の別の実施形態は、図4を参照することができ、リトラクタブルキーボードである。
【００３７】
本実施例では、キーボードは2つの相対的に摺動可能な部分400aおよび400bに一体的に形成されており、それによって、キーボードの全体的なサイズは、保存する場合に大幅に削減することができ、携帯性がより高い。本発明の入力装置で使用される光入力キーは、全体構造を容易に形成することができるため、キーボード全体を2つ以上の部分に分割することは非常に簡単であり、分離された部分は、有線または無線（例えば、赤外線）等の方法によって通信することができる。
【００３８】
他の実施形態では、分離された部分を枢動可能に接続することもでき、図5に示すように、キーボードを構成する2つの部分500aおよび500bを回転することによって一緒に折り畳むことができる。
【００３９】
実施例4
本発明による入力装置の別の実施形態は、図6を参照することができ、携帯電話と併せて携帯電話の様々な入力キーとして機能する。
【００４０】
この実施例では、携帯電話645上の各入力キーは、スイッチのキー651、音量調整のキー652、メインメニューのキー653、アドバンスのキー654、バックのキー655、サブメニューのキー656を含む。各キーは、本発明による光入力キー位置の構造を使用して作ることができる。あるいは、653/654/655/656などの一部のキーは、携帯電話のタッチスクリーンに集積することができる。
【００４１】
本発明による光入力キー位置を使用して携帯電話の表面の入力キーを作り、それによって、携帯電話機は、完全に密閉された構造（キー入力位置の透光窓が透明材料で閉じられ、例えば、透明なプラスチック、充電および外部コンピュータ等のデバイスはワイヤレス形態で使用できる）を形成することができ、従って、良好な防水能力を有する。
【００４２】
他の実施形態では、実際のニーズに応じて、携帯電話の表面の入力キーを増減することもできる。通常、電話機の側面にあるスイッチのキーおよび音量調整のキーは、本発明の光入力キーの構造の使用が特に有利である。
【００４３】
実施例5
本発明による入力装置の別の実施形態は、図7を参照することができ、複合キー位置を使用するキーボードである
【００４４】
本実施例において、光入力キー位置710aは、従来のタッチキーボードのキー位置710bと結合され、2つの入力状態を有する複合式キーとして形成される。図7に示されるように、光入力キー位置710aの光透過窓711は、弾性スイッチ機構のキーキャップ713に配置され、対応する感光デバイス（図示せず）がキーキャップ内に配置される。ユーザの指が光透過窓711のみを遮って押し下げない場合、感光デバイスだけが応答する。指がキーキャップ713を押すと、弾性スイッチ機構も応答し、これによって、1つのキー位置が2つの入力状態を持つことができる。
【００４５】
この実施例のキーボードは、従来のキーボードの使用に慣れているユーザに適している。また、2倍のボタン状態を提供することができるため、キー位置の数は半分に減少ことができるため、スペースが限られた応用のシナリオにも適用できる。
【００４６】
上記の特定の適用例は、本発明の原理および実施形態について説明した。上記の実施形態は本発明を理解するのに役立つためのものであり、本発明を限定するものと解釈すべきではない。当業者は、本発明の思想によれば、上記の特定の実施形態を変更することができる。
【符号の説明】
【００４７】
110  キー位置
111  光透過窓
112  感光デバイス
120  制御および読み出し回路
241  画像取得モジュール
310a  光入力キー
310b  タッチスクリーン
344  接続口
345  携帯電話
400a、400b  相対的に摺動可能な部分
500a、500b  キーボードを構成する部分
645  携帯電話
651  スイッチのキー
652  音量調整のキー
653  メインメニューのキー
654  アドバンスのキー
655  バックのキー
656  サブメニューのキー
710a  入力キー位置
711  光透過窓
713  キーキャップ
【図１】
2019502217.tif 000003
【図２】
2019502217.tif 000004
【図３】
2019502217.tif 000005
【図４】
2019502217.tif 000006
【図５】
2019502217.tif 000007
【図６】
2019502217.tif 000008
【図７】
2019502217.tif 000009
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
入力装置であって、少なくとも1つのキー位置（key position）と、制御および読み出し回路とを備え、
各キー位置には、光透過窓と感光デバイスとが設けられ、前記光透過窓は、外光の入射のために使用され、前記感光デバイスは、前記光透過窓の後ろの光路に配置され、前記感光デバイスの状態は入射した外光の強度に対応し、
前記制御および読み出し回路は、各感光デバイスをリセットかつ走査するために用いられるとともに、走査された各感光デバイスの状態に基づいて、対応する光透過窓がブロックされている或いはブロックされていないことを示すキー信号を出力する、
少なくとも1つのキー位置には、圧力感知デバイスが設けられ、
前記制御および読み出し回路は、対応する圧力感知デバイスがトリガされたことを示すキー信号を出力するためにも使用される、ことを特徴とする入力装置。
【請求項２】
複数のキー位置を備え、
少なくとも一部のキー位置は、キーボードを形成するための規定のルールに従って配置され、或いは、
少なくとも一部のキー位置は、高密度の2次元配列で配置され、配列の頂部はスライド入力ボードを形成する平坦な全体である、請求項1に記載の入力装置。
【請求項３】
前記圧力感知デバイスは、弾性スイッチ機構およびタッチスクリーンからなる群から選択される、請求項１に記載の入力装置。
【請求項４】
前記光透過窓はコンデンサーレンズを含む、請求項１〜３のいずれか一項に記載の入力装置。
【請求項５】
前記感光デバイスは、フォトダイオード、フォトレジスター、および光起電力デバイスからなる群から選択される、請求項１〜４のいずれか一項に記載の入力装置。
【請求項６】
前記制御および読み出し回路は、入力装置を動作状態とアイドル状態との間で切り替えるためにも使用され、
動作状態では、前記感光デバイスのリセットおよび走査が実行され、
アイドル状態では、前記感光デバイスは省電力モードで動作する、請求項１〜５のいずれか一項に記載の入力装置。
【請求項７】
前記感光デバイスは、前記入力装置または外部装置に電力を供給するためにも使用される光起電力デバイスである、請求項５に記載の入力装置。
【請求項８】
前記制御および読み出し回路は、入力装置を動作状態とアイドル状態との間に切り替えるためにも使用され、
動作状態では、光起電力デバイスのリセットおよび走査が実行され、
アイドル状態では、光起電力デバイスは電力供給モードで動作する、請求項７に記載の入力装置。
【請求項９】
前記制御および読み出し回路は、作業状態とアイドル状態との間で自動的に切り替えるためにも使用され、
全ての感光デバイスの状態が設定された一定時間を超えて変化しない場合、アイドル状態に切り替え、いずれかの感光デバイスの状態が変化する場合、動作状態に切り替え、或いは、
前記制御および読み出し回路は、設けられたスイッチをユーザがトリガすることで生成されたスイッチング信号に基づいて動作状態とアイドル状態の切り替えを実行するためにも使用される、請求項６または８に記載の入力装置。
【請求項１０】
単一の音声信号に対応する複数のキー値のうちの1つを選択するための、または現在可能な複数の入力結果のうちの1つを選択するための音声信号を入力するための音声認識モジュールをさらに含む、請求項１〜９のいずれか一項に記載の入力装置。
【請求項１１】
前記入力装置は少なくとも2つの部分として一体的に形成され、前記少なくとも2つの部分は摺動または枢動によって接続されている、請求項１〜１０のいずれか一項に記載の入力装置。
【国際調査報告】
2019502217.tif 000010
2019502217.tif 000011
2019502217.tif 000012
2019502217.tif 000013
2019502217.tif 000014
2019502217.tif 000015